(57)【特許請求の範囲】
【請求項１】
パッケージ完全性機構において、
再封可能な閉じ構造に関連した構造と、フィルム包装を有した対応する容器と、を具え、前記構造は、前記再封可能な閉じ構造が初めて開封されたときに可聴音を生成し、前記構造は、前記再封可能な閉じ構造および前記対応する容器に最初は貼り付けられている、柔軟なフィルムを備えた少なくとも１つのストリップを備え、前記再封可能な閉じ構造を初めて開封する際、前記少なくとも１つのストリップが破れ、それによって前記可聴音を生成することを特徴とするパッケージ完全性機構。
【請求項２】
少なくとも２つのストリップを備え、各々のストリップは前記再封可能な閉じ構造を初めて開封する際に異なる時間に破れ、それによって前記再封可能な閉じ構造を初めて開封する際に２回の別個の可聴音を生成することを特徴とする請求項１に記載のパッケージ完全性機構。
【請求項３】
少なくとも２つのストリップを備え、各々のストリップは前記再封可能な閉じ構造を初めて開封する際、連続して破れることを特徴とする請求項１に記載のパッケージ完全性機構。
【請求項４】
シールパネルは、前記再封可能な閉じ構造が始めて開封される前に前記少なくとも１つのストリップ上にある透明窓部分を備えたことを特徴とする請求項１に記載のパッケージ完全性機構。
【請求項５】
前記少なくとも１つのストリップは、弱くされた部分を含むことを特徴とする請求項１に記載のパッケージ完全性機構。
【請求項６】
前記弱くされた部分は、前記ストリップの一部分の狭小部分の形態であることを特徴とする請求項５に記載のパッケージ完全性機構。
【請求項７】
無傷のストリップが、前記閉じ構造が開封されていないということを示し、分離したストリップは、前記閉じ構造がそれまでに開封されたということを示すことを特徴とする請求項１に記載のパッケージ完全性機構。
【請求項８】
パッケージ完全性閉じ構造を有するパッケージにおいて
上面と、前記上面におけるフラップと、前記フラップが前記上面との係合を解くとき前記上面において露出するアクセス用開口と、シールパネルであって、前記フラップと前記アクセス用開口を覆い、かつ最初に前記パッケージを密封し、次いで初めて開封された後は前記上面に対して再封可能になるように前記アクセス用開口周りで前記上面を密封係合する、シールパネルと、
再封可能な閉じ構造に関連した構造であって、前記上面とフラップの両方に貼り付けられている部分を有した少なくとも１つのストリップを備え、前記パッケージを初めて開封する際、前記少なくとも１つのストリップが破れ、それによって前記パッケージが開けられたこと示す構造と、
を具えたことを特徴とするパッケージ。
【請求項９】
前記構造は、中に含まれた食料品を取り出すことが可能になる前に可聴音を生成することを特徴とする請求項８に記載のパッケージ。
【請求項１０】
前記シールパネルは、少なくとも１つのタブ部分であって、前記再封可能な閉じ構造を初めて開封する際、前記シールパネルから分離し、かつ前記上面には貼り付けられたままであり、それによって前記シールパネル内に穴が形成され、その結果、前記シールパネルを前記上面に再封する際、前記穴が前記タブ部分とずれる、タブ部分を具えたことを特徴とする請求項８に記載のパッケージ。
【請求項１１】
前記構造は、前記上面および前記シールパネルの両方に貼り付けられた少なくとも１つのストリップであって、前記パッケージを最初に開封する際に破れて前記パッケージが以前に開封されたことの表示をもたらす、ストリップを具えたことを特徴とする請求項８に記載のパッケージ。
【請求項１２】
可聴音は、前記パッケージが初めて開封されていることを表示するために前記ストリップが破れる際に生成されることを特徴とする請求項１１に記載のパッケージ。
【請求項１３】
少なくとも２つのストリップを備え、各々のストリップは、前記再封可能な閉じ構造を開封する際に異なる時間で破れ、それによって前記再封可能な閉じ構造を開封する際に２つの別個の可聴音を生成することを特徴とする請求項１１に記載のパッケージ。
【請求項１４】
少なくとも２つのストリップを備え、各々のストリップは前記再封可能な閉じ構造を初めて開封する際、前記再封可能な閉じ構造を開封する際に連続して破れることを特徴とする請求項１１に記載のパッケージ。
【請求項１５】
前記ストリップ間の間隔は、それらのいずれかが破れる前は、前記容器内の食料品が前記ストリップ間の前記容器から取り出すことができないほど小さいことを特徴とする請求項１１に記載のパッケージ。
【請求項１６】
前記ストリップは、弱くされた部分を含み、それによって、前記ストリップは前記パッケージ内に含まれた食料品を取り出すことができる前に破れることを特徴とする請求項１１に記載のパッケージ。
【請求項１７】
前記シールパネルは、前記再封可能な閉じ構造が初めて開封される前に前記少なくとも１つのストリップ上にある透明窓部分を具えたことを特徴とする請求項１１に記載のパッケージ。
【請求項１８】
パッケージの完全性を表示する閉じ構造において、
容器の上面を形成し、前記容器内の内容物へのアクセスを容易にするアクセス開口を画定するフラップを有し、前記フラップを前記上面の残りの部分に結合する少なくとも１つのストリップを有する、フィルム層と、
前記フィルム層の前記フラップを完全に覆うシールパネルと、
前記フィルム層に前記シールパネルを接着するために、前記シールパネル上または前記フィルム層上のいずれかまたは両方に設けられた取り外し可能な接着剤であって、前記シールパネルは、前記シールパネルを引き剥がし方向に引っ張ることによって前記フィルム層から取り外し可能であり、前記シールパネルが前記上面に対して戻されるときは前記アクセス開口を密封するために前記上面に対して再閉可能である、取り外し可能な接着剤と、を具え、
前記シールパネルを初めて剥がす際、前記フラップを前記上面に結合する前記少なくとも１つのストリップが破れることを特徴とするパッケージの完全性を表示する閉じ構造。
【請求項１９】
前記少なくとも１つのストリップは、弱くされた部分を含むことを特徴とする請求項１８に記載のパッケージの完全性を表示する閉じ構造。
【請求項２０】
前記フラップおよび少なくとも１つのストリップは、前記フィルム層と一体的に形成されることを特徴とする請求項１８に記載のパッケージの完全性を表示する閉じ構造。
【請求項２１】
前記フラップおよび少なくとも１つのストリップは、前記フィルム層から打ち抜かれることを特徴とする請求項２０に記載のパッケージの完全性を表示する閉じ構造。
【請求項２２】
前記シールパネルは、少なくとも１つのタブ部分であって、前記再封可能な閉じ構造を初めて開封する際、前記シールパネルから分離し、かつ前記上面には貼り付けられたままであり、それによって前記シールパネル内に穴が形成され、その結果、前記シールパネルを上面に再封する際、前記穴が前記タブ部分とずれる、タブ部分を具えたことを特徴とする請求項１８に記載のパッケージの完全性を表示する閉じ構造。
【請求項２３】
前記シールパネルは、前記再封可能な閉じ構造が初めて開封される前は前記少なくとも１つのストリップ上にある透明窓部分を具えたことを特徴とする請求項１８に記載のパッケージの完全性を表示する閉じ構造。
【請求項２４】
容器用の完全性を表示する閉じ構造において、
外側層に接着して結合された内側層を含み、前記容器の上面を形成する少なくとも２重の材料であって、
前記内側層は、第１のパネル、第２のパネル、および前記容器の前記上面の残りの部分に前記第１のパネルを結合する少なくとも１つのストリップを有し、前記外側層は、その中に形成され、前記第１のパネルを完全に覆い、かつ前記内側層の前記ストリップおよび前記第２のパネルを覆うシールパネルを有し、前記第１のパネルおよび前記シールパネルは、互いに永久的に結合されて前記容器へのアクセス開口を提供する、２重の材料と、
前記内側層および前記第２のパネルに前記シールパネルを接着するために前記シールパネルの周縁周りに設けられた取り外し可能な接着剤であって、前記シールパネルは、前記シールパネルを引き剥がし方向に引っ張ることによって前記内側層から取り外し可能であり、前記第２のパネルから分離可能であり、前記シールパネルが前記上面に対して戻されるときは前記開口を密封するために前記上面に対して再閉可能である、取り外し可能な接着剤と、を具え、
前記閉じ構造を初めて開封する際、前記第１のパネルと前記容器の前記上面の残りの部分に接続する前記少なくとも１つのストリップが破れ、
前記閉じ構造の封止後、前記第２のパネルの一部は、前記内側層から分離されて、前記閉じ構造が予め開けられていることを視覚的に示すことを特徴とする完全性を表示する閉じ構造。
【請求項２５】
前記少なくとも１つのストリップは、前記内側層と一体的に形成されることを特徴とする請求項２４に記載の完全性を表示する閉じ構造。
【請求項２６】
前記第２のパネルは、前記シールパネルが初めて剥がされるとき前記容器内に落下するように構成されることを特徴とする請求項２４に記載の完全性を表示する閉じ構造。
【請求項２７】
前記内側層は、さらに第３のパネルを備え、前記外側層は、前記第３のパネルを完全に覆い、それにより、前記閉じ構造を初めて開封する際、前記第３のパネルは前記シールパネルから分離することを特徴とする請求項２４に記載の完全性を表示する閉じ構造。
【請求項２８】
前記シールパネルは、前記閉じ構造が初めて開封される前は前記内側層の前記第２のパネルおよび前記第３のパネル上にある透明窓部分を具えたことを特徴とする請求項２７に記載の完全性を表示する閉じ構造。
【請求項２９】
前記シールパネルは、前記閉じ構造が初めて開封される前は前記内側層の前記第２のパネル上にある透明窓部分を具えたことを特徴とする請求項２４に記載の完全性を表示する閉じ構造。
【請求項３０】
前記第２のパネルは、前記シールパネルが前記内側層から初めて剥がされた後、前記開口の平面部から剥離することを特徴とする請求項２４に記載の完全性を表示する閉じ構造。
【請求項３１】
前記容器内に配設された、クッキー、クラッカー、ピーナッツ、チーズ、薄切り肉、および半固体食品からなる群から選択される食料品をさらに具えたことを特徴とする請求項２４に記載の完全性を表示する閉じ構造。
【請求項３２】
前記シールパネルは、少なくとも１つのタブ部分であって、前記閉じ構造を初めて開封する際、前記シールパネルから分離し、かつ前記上面には貼り付けられたままであり、それによって前記シールパネル内に穴が形成され、その結果、前記シールパネルを前記上面に再封する際、前記穴が前記タブ部分とずれる、タブ部分を具えたことを特徴とする請求項２４に記載の完全性を表示する閉じ構造。
【請求項３３】
前記構造は、前記閉じ構造の端部の一部またはパッケージ開口から離れるように延在する側端部を有することを特徴とする請求項１に記載のパッケージ完全性機構。
【請求項３４】
前記少なくとも１つのストリップは、柔軟なフィルムからなり、前記フラップの端部の一部または前記アクセス用開口から離れるように延在する側端部を有することを特徴とする請求項８に記載のパッケージ。
【請求項３５】
前記少なくとも１つのストリップは、柔軟なフィルムからなり、前記フラップの端部の一部または前記アクセス用開口から離れるように延在する側端部を有することを特徴とする請求項１８に記載の閉じ構造。
【請求項３６】
前記ストリップは、柔軟なフィルムからなり、前記内側層の端部の一部または前記アクセス用開口から離れるように延在する側端部を有することを特徴とする請求項２４に記載の閉じ構造。
【発明の詳細な説明】
【技術分野】
【０００１】
本発明は、物品を保管するパッケージ用の再封可能な閉じ構造（クロージャ）に関し、より詳細には、パッケージの完全性の表示を有する、上述のような再封可能な閉じ構造に関するものである。
【背景技術】
【０００２】
クッキーおよび他のスナックなどの食品用の容器の中には、典型的に外装材が含まれるものがある。１つのタイプの容器では、包装材は、食品を保持し食品を損傷から保護するトレイとして働くフレームを包囲する。他の食品は、なんらかのふた材料を使用して上面で密封された熱成形トレイなどのプラスチックトレイ内に包装される。食品容器閉じ構造の技術分野での最近の進歩の一つに、参照によって本明細書に組み込まれる特許文献１に開示された再封可能な閉じ構造が挙げられ、この特許文献１には、再封可能なシールパネルによって覆われたアクセス開口を有する容器の上面を形成する包装材が開示されている。
【０００３】
包装の技術分野では、パッケージが以前に開封されたか、すなわちパッケージの完全性が損なわれたか否かを表示するために様々な構造が使用されてきており、それらの構造は、当該技術分野では、しばしば「不正開封（防止）機能（ｔａｍｐｅｒ−ｅｖｉｄｅｎｔ）」と呼ばれている。例えば、パッケージの完全性を表示する最近の１つの閉じ構造が、参照によって組み込まれる特許文献２に開示されており、特許文献２には、内側のフィルム層および容器の上面を形成する外側のフィルム層を有する２重の材料を備える閉じ構造が示されている。外側のフィルム層は、内側のフィルム層の一部分を覆うシールパネルを有し、この内側のフィルム層はシールパネルと共に開口を形成する。パッケージ完全性の機構として、シールパネルから分離して閉じ構造がそれまでに開封されたことを示す内側フィルム層のパネルを含んでいる。
【０００４】
【特許文献１】米国特許第６，９１８，５３２号明細書
【特許文献２】米国特許出願第１１／５００，４９７号明細書
【特許文献３】米国特許出願公開第２００５／０２７６５２５号明細書
【特許文献４】米国特許出願第１１／０２９，６２６号明細書
【発明の開示】
【発明が解決しようとする課題】
【０００５】
再封可能な閉じ構造用の、好ましくは食料品を含む容器またはパッケージ用の再封可能な閉じ構造と共に使用するのに適した、パッケージの完全性表示の技術分野において改良が必要とされている。
【課題を解決するための手段】
【０００６】
本発明は、概略、容器用の再封可能な閉じ構造であって、再封可能な閉じ構造が初めて開封されたときに可聴音を発生および／または生成する構造により、パッケージの完全性が表示される、閉じ構造に関する。
【０００７】
本発明は、一形態では、再封可能な閉じ構造に関連する構造を有する、パッケージ完全性指示機構を含む。この構造は、再封可能な閉じ構造が初めて開封されたときに可聴音を生成することが好ましい。一形態では、構造は、再封可能な閉じ構造の固定部分と可動部分に初めに貼り付けられた少なくとも１つのストリップを備え、その結果、再封可能な閉じ構造を初めて開封する際、ストリップの少なくとも１つが破れ、好ましくは可聴音を生成する。ストリップは、その長さに沿った１ヶ所に狭小部分などの弱くされた部分を含むことができる。パッケージの完全性は、再封可能な閉じ構造を開封する際に見える無傷のストリップによって表示され、反対に、破れたまたは無傷でないストリップは、再封可能な閉じ構造がそれまでに開封されたことを表示する。
【０００８】
他の形態では、パッケージの完全性は、再封可能な閉じ構造内の透明窓によって明らかにされる。すなわち、閉じ構造が初めて開封される前はある部分がそこから見ることができるが、閉じ構造が初めて開封され再封された後はそこから見ることができなくなるようになる。この部分は、ストリップのうちの１つでもよく、あるいはストリップとは別の第２のパネルでもよい。
【０００９】
別の他の形態では、構造は、少なくとも２つのストリップを備え、少なくとも１つのストリップは、再封可能な閉じ構造を開封する際に他の１つまたは複数のストリップとは異なる時間に破れ、好ましくはそれによって各々のストリップが破れるときに少なくとも２回の別個の可聴音を生成する。
【００１０】
パッケージ完全性指示機構は、上面と、上面のアクセス開口と、シールパネルであって、アクセス開口を覆い、かつ最初はパッケージを密封し、次いで初めて開封された後は上面に対して再封可能になるようにアクセス開口の周りで上面を密封係合する、シールパネルとを有するパッケージ用の閉じ構造を含むことができる。構造は、再封可能な閉じ構造に関連しており、この再封可能な閉じ構造は、それが初めて開封されたときに可聴音を生成することが好ましい。有利には、構造は、パッケージ内に含まれる食料品を取り出すことができる前に可聴音を生成する。
【００１１】
本発明は、別の形態では、パッケージの完全性を表示する閉じ構造に関し、この閉じ構造は、容器の上面を形成するためのフィルム層であって、容器の内容物にアクセスし易くするためのアクセス開口を画定するフラップと、フラップを上面の残りの部分に結合する少なくとも１つのストリップと、を有したフィルム層を備える。シールパネルは、フィルム層の少なくとも１つのストリップを含むフラップを完全に覆う。シールパネル上またはフィルム層上のいずれか、または両方に提供された取り外し可能な接着剤が、シールパネルをフィルム層に接着する。シールパネルは、それを引き剥がし方向に引っ張ることによってフィルム層から取り外し可能であり、シールパネルが上面に対して戻されたときはアクセス開口を密封するために上面に対して再閉可能である。シールパネルを初めて剥がす際、フラップを上面に結合する少なくとも１つのストリップが破れる。
【００１２】
パッケージの完全性を表示する閉じ構造はまた、外側層に接着して結合された内側層を含み、共に容器の上面を形成する、少なくとも２重の材料を含むことができる。内側層は、第１のパネル、第２のパネル、および第１のパネルを容器の上面の残りの部分に結合する少なくとも１つのストリップを有する。外側層は、その中に形成されたシールパネルを有し、このシールパネルは、第１のパネルを完全に覆い、ストリップを覆い、内側層の第２のパネルを覆う。第１のパネルおよびシールパネルは、容器へのアクセス開口を提供するように互いに永久的に結合される。シールパネルの周縁周りに設けられた取り外し可能な接着剤は、シールパネルを内側層および第２のパネルに接着する。シールパネルは、内側層から取り外し可能であり、シールパネルを引き剥がし方向に引くことによって第２のパネルから分離可能であり、シールパネルが上面に対して戻されたときは開口を密封するために上面に対して再閉可能である。閉じ構造を初めて開封する際、第１のパネルと容器の上面の残りの部分の間の少なくとも１つのストリップが破れる。封止後、第２のパネルは、シールパネルから分離される。有利には、一形態では、少なくとも１つのストリップは、内側層と共に一体的に形成される。
【００１３】
パッケージの完全性はまた、シールパネルが開封され再封された後のタブ部分とシールパネル穴のずれによって表示することもできる。
【００１４】
容器内に配設される食料品としては、それだけに限定されないが、クッキー、クラッカー、ピーナッツ、チーズ、薄切り肉、および半固体食品を挙げることができる。
【００１５】
本発明の他の特徴および利点は、以下に見出される本発明の現在好ましい実施形態の詳細な説明で述べられ、それから明らかになるであろう。
【発明を実施するための最良の形態】
【００１６】
特に図１〜４の図を参照すると、パッケージ完全性指示機構を組み込んだ、閉じ構造１１を備えたパッケージ１０が示されている。パッケージ１０は、上面もしくは上表面１４、側面１６、下部表面（図示せず）、および圧着された端部１８、１９を形成する、第１の内側層１２および第２の外側フィルム層１３を含む２重の包装材を含むものである。内側フィルム層１２および外側フィルム層１３は、パッケージ１０内に提供される食料品などの所望の食品を収容するための内側空間または入れ物を画定するように切断され、折られ、または別の形でプレス成形されたポリマーフィルムまたは他の柔軟な材料から形成される。パッケージ１０は、クッキー、クラッカー、キャンディまたは他の食料品を保管、配布するために使用することができる。外側フィルム層１３は、パッケージ１０の内容物を識別するための絵またはその他の印を含むことができる。
【００１７】
有利には、内側フィルム層１２は、外側フィルム層１３と同一の広がりを持って形成され、それに接着して結合される。パッケージ１０の製造時、第１の内側フィルム層１２は、第２の切取線２３以外の図１のすべての破線を含む第１の切取線２０によってその側面で打ち抜かれる。外側フィルム層１３は、第３の切取線２１および打ち抜き２５によってその側面で打ち抜きされる。内側および外側の切取線は、参照によって本明細書に組み込まれる特許文献３に開示されている。
【００１８】
第１の切取線２０は、第１のパネル２２を画定するように連続した切取線として形成される。第１の切取線２０はまた、複数のストリップ（細片）５０、５２、５４も画定する。第２の切取線２３は、これもやはりパッケージの完全性を表示するように働く第２のパネル４２を形成する。
【００１９】
第１のパネル２２は、内側フィルム１２の残りの部分から分離されて、開口２４を露出させ、それにより、ストリップ５０、５２、５４が破れた後、パッケージの内容物へのアクセスを容易にすることができる（図２ａ、２ｂ）。各々のストリップ５０、５２、５４は、ストリップ部分５０ａ、５２ａ、５４ａそれぞれが上面１４を構成する内側層１２の残りの部分に一体的に結合され取り付けられ、ストリップ５０、５２、５４の一部分は、ストリップ部分５０ｂ、５２ｂ、５４ｂそれぞれが第１のパネル２２と一体的に取り付けられている。各々のストリップ５０、５２、５４は、部分５０ｃ、５２ｃ、５４ｃそれぞれがストリップ幅の狭小部分によって画定された弱くなった部分となっている。狭小部分５０ｃ、５２ｃ、５４ｃは、それぞれのストリップ５０、５２、５４に弱くなった領域をもたらし、それにより、それぞれのストリップは、閉じ構造１１を初めて開封する際、狭小部分５０ｃ、５２ｃ、５４ｃで破れる。
【００２０】
ストリップ部分５０ｂ、５２ｂ、５４ｂは、ストリップ端部５０ｄ、５２ｄ、５４ｄそれぞれで第１のフィルム層フラップ２２に一体的に結合されている。有利には、打ち抜き２０は、平行な「Ｕ字」状にストリップ端部５０ｄ、５２ｄ、５４ｄを形成し、この「Ｕ字」状は、ストリップ５０、５２、５４がストリップ端部５０ｄ、５２ｄ、５４ｄで裂けずに第１のパネル２２と一体的に結合されたままであることを保証することの助けとなり、ストリップ５０、５２、５４が、弱くなった狭小ストリップ部分５０ｃ、５２ｃ、５４ｃそれぞれで破れることを可能にするものである。
【００２１】
第２のパネル４２は、パッケージが開封された後も、端部４４において内側フィルム層１２に一体的に結合されており、特許文献２に詳細に記載されるように、第２のパネル４２の残りの部分は開口２４内に落下する。
【００２２】
第３の切取線２１は、外側フィルム層１３のシールパネル２６を画定し、打抜き２５は、シールパネル２６内で複数のタブ部分２７を画定する。シールパネル２６は、第１の切取線２０の周縁および開口２４に隣接する第２の切取線２３を越えて延在し、それにより、シールパネル２６は、第１のパネル２２、ストリップ５０、５２、５４および第２のパネル４２の周縁を完全に覆ってそれを越えて延在する。その結果、シールパネル２６は、第１のパネル２２、ストリップ５０、５２、５４、および第２のパネル４２を完全に覆う。
【００２３】
タブ部分２７を含む、内側フィルム層１２と面するシールパネル２６の側面は、取り外し可能な接着剤２８（図２ａ、２ｂを参照）でコーティングされ、それによってシールパネル２６は、第１のパネル２２に隣接する部分で内側フィルム層１２に再封可能に固定することができ、タブ部分２７は内側フィルム層１２に永久的に貼り付けられたままになる。
【００２４】
代替的に、または取り外し可能な接着剤２８に加えて、取り外し可能な接着剤を、第１のパネル２２の外周縁に沿って内側フィルム層１２上にコーティングすることもできる。取り外し可能な接着剤は、再封を可能にし、かつそれだけに限定されないが、参照によって本明細書に組み込まれる特許文献４に開示された接着剤を含む、任意の感圧接着剤とすることができる。シールパネル２６は、それを内側フィルム層１２から剥がしてパッケージ１０を開封することができるように、接着剤２８がコーティングされていないタブ３０または他の把持機能を備える。
【００２５】
有利には、シールパネル２６は、パッケージ１０が初めて開封される前は内側フィルム層１２の第２のパネル４２に重なる透明窓部分２９を有しており、この透明窓部分２９は、パッケージ１０が初めて開封される前は内側フィルム層１２に接着された第２のパネル４２を視覚的に観察すること、およびパッケージ１０が開封された後はシールパネル２６に第２のパネル４２が取り付けられていないことを観察することを可能にして特許文献２に記載されるようにパッケージの完全性を表示する。
【００２６】
次に図２ａ、２ｂおよび図３を特に参照すると、パッケージ１０は、タブ３０を把持し、シールパネル２６を矢印３３に示す引き剥がし方向に剥がすことによって開封される（図２ａ、２ｂ）。シールパネル２６が初めて剥がされるとき、第１のパネル２２が、第２のパネル４２およびストリップ５０、５２、５４の一部を含む内側フィルム層１２の残りの部分から、第１のフィルム層の切取線２０に沿って分離される。ストリップ部分５０ａ、５２ａ、５４ａは、内側フィルム層１２の残りの部分に一体的に取り付けられており、ストリップ部分５０ｂ、５２ｂ、５４ｂは、第１のパネル２２に一体的に取り付けられている（図３）。さらに、タブ部分２７は、シールパネル２６から分離し、接着剤２８によって内側フィルム層１２には取り付けられたままであり、それによってシールパネル２６内に穴３２が形成される（図２および３）。
【００２７】
最初、閉じ構造１１を開封する際、図２ａに示すように、ストリップ部分５０ａ、５２ａ、５４ａはシールパネル２６から分離するが、ストリップ部分５０ｂ、５２ｂ、５４ｂはシールパネル２６に取り付けられたままである。シールパネル２６を剥がす際のどこかの時点で、ストリップ５２が、狭小のストリップ部分５２ｃで最初に破れ、ストリップ５０および５４は無傷のままであることが好ましい（図２ａ）。ストリップ５２が破れるとき、スナップ音のような可聴音が生成される。図２ａおよび２ｂに示すように、ストリップは、例えば図２ａおよび２ｂに示すクッキー５８などの内容物の最大寸法未満の距離を離間して置くことができ、それにより、実際にストリップ５２が破れる前は、ストリップ間の間隔が小さすぎてクッキー５８を取り出すことはできない。
【００２８】
シールパネル２６をさらに矢印３３の方向に剥がすと、閉じ構造１１がさらに開き、最終的にはストリップ５０および５４は、狭小ストリップ部分５０ｃ、５４ｃそれぞれで破れる。各々のストリップが破れるとき、スナップ音のような可聴音が発生する。有利には、ストリップの狭小部分５０ｃ、５４ｃは、ストリップ５０、５４に沿ったそれぞれ同じ部分にあり、その結果、ストリップ５０および５４は同時に破れ、それによって統一されたまたは単一の可聴音を生成する。ストリップ５２はストリップ５０、５４の前に破れるので、２回の可聴音、すなわち１回はストリップ５２が破れる際、２回目はストリップ５０および５４が同時に破れる際の可聴音が生成される。
【００２９】
パッケージの完全性は、閉じ構造１１に組み込まれたいくつかの新規の機能を介して閉じ構造１１によって表示される。パッケージの完全性は、無傷の一体的に結合されたストリップ５０、５２、５４を観察することによって視覚的に表示され、それらのストリップは、有利には、中の内容物を取り出すことを可能にする前に閉じ構造１１を十分大きく開封する際に破れ、それによってパッケージの完全性を表示する。さらに、パッケージの完全性は、ストリップが破れるときに生成される可聴音によって示され、それにより、可聴音は、パッケージが初めて開封されていることを表示する。
【００３０】
さらに、パッケージの完全性は、語句「ＳＥＡＬＥＤ」の黒の縁取り文字で示したシールパネル２６の部分３４と、灰色で示した、パネル２２の一部にかかる内側フィルム層１２の部分３６であって、閉じ構造１１が初めて開封される前に（図１）ウインドウ部分２９から見ることができる部分３６と、空隙４６を有する語句「ＳＥＡＬＥＤ」の中間部分であって、パッケージが始めて開封される前に存在し無傷であった第２のパネル４２がもはやパッケージ内に落下し、空隙領域４６内では見ることができないためにその空隙が存在する、中間部分と、の視覚的表示によって表示される。したがって、空隙領域４６は、閉じ構造が開封され再封された後は影無しで示されている（図４）。
【００３１】
さらに、シールパネル２６は、一般的には、その元の正確な位置に戻ることはなく、その代わりその元の位置に対してわずかにずれるため、パッケージの完全性は、シールパネル２６が開封され再封された後のタブ部分２５とシールパネル穴３２のそのようなずれによって表示される（図４）。
【００３２】
図５を参照すると、図１〜４の実施形態の同様の要素が、１００だけ増した符号で示される。パッケージ１１０は、側面１１６および端部６１、６２を形成する熱成形トレイ６０を備える。内側のフィルム層１１２および外側のフィルム層１１３を含む２重の材料が、熱成形トレイ６０のフランジ６３を密封する。パッケージ１０のように、タブ１３０が引っ張られると、外側フィルム層１１３からシールパネル１２６が分離され、内側フィルム層１１２、ストリップ１５０、１５２、１５４の一部分および第２のパネル１４２から第１のパネル１２２が分離される。パッケージ１１０が初めて開封された後、ストリップ１５０、１５２、１５４は、狭小ストリップ部分１５０ｃ、１５２ｃ、１５４ｃで破れ、破れる際に可聴音を生成し、図５に示すように、パッケージが以前に開封されたことがあるというパッケージの完全性の状態の視覚的表示をもたらす。
【００３３】
パッケージ１１０は、チーズ、薄切り肉などの様々な食料品に使用することができる。さらに、パッケージ１１０は、プリンおよびヨーグルトなどの半固体食品にも使用することができる。パッケージ１１０は、矩形の形状を有するように示されているが、パッケージ１１０は、円筒形および不整形を含む、どのような形状を有してもよい。
【００３４】
内側および外側フィルム層１１２、１１３は、ポリプロピレン、ポリエチレン、セロハン、またはパッケージエン閉じ構造を形成するのに適した他の任意のポリマー材料を含む、フィルム層１２、１３と同様の材料から形成することができる。
【００３５】
次に図６〜８を参照するとば、図１〜４の実施形態の同様の要素が、２００だけ増した符号で示される。シールパネル２２６は、パッケージ２１０が始めて開封される前は内側フィルム層２１２のストリップ２５４上にある透明窓部分２２９を有し、この透明窓部分２２９は、パッケージ２１０が初めて開封される前は内側フィルム層２１２に貼り付けられたストリップ２５４を視覚的に観察することを可能にしている。パッケージ１０のように、タブ２３０が引っ張られると、外側フィルム層２１３からシールパネル２２６が分離され、内側フィルム層２１２およびストリップ２５０、２５２、２５４の一部分から第１のパネル２２２が分離される。パッケージ２１０が始めて開封された後は、ストリップ２５０、２５２、２５４は、狭小ストリップ部分２５０ｃ、２５２ｃ、２５４ｃで破れ、破れる際に可聴音を生成し、図７に示すように、パッケージが以前に開封されたというパッケージの完全性の状態の視覚的表示をもたらす。さらに、パッケージの完全性の状態は、パッケージ２１０が開封された後のシールパネル２２６にストリップ部分２５４が取り付けられていないことによって明らかにされる。
【００３６】
次に特に図８を参照すると、パッケージの完全性の状態はまた、閉じ構造２１１が初めて開封される前の語句「ＳＥＡＬＥＤ」の黒の縁取り文字で示したシールパネル２２６の部分２３４（図６）と、空隙２４６を有する語句「ＳＥＡＬＥＤ」の中間部分であって、パッケージが始めて開封される前に存在し無傷であったストリップ２５４がもはやパッケージ内に落下し、空隙領域２４６内では見ることができないためにその空隙が存在する、中間部分と、の視覚的表示によって表示される。したがって、この空隙領域２４６は、閉じ構造が開封され再封された後は、影無しで示されている（図８）。さらに、パッケージ１０のように、パッケージ完全性の状態は、シールパネル２２６がパッケージ１０と同じ方法で開封され再封された後（図８）のタブ部分２２５とシールパネル穴２３２とのわずかなずれによって表される。
【００３７】
次に別の実施形態による図９および１０を参照すると、パッケージ３１０は、開口３２４の中間部分に配置された単一のストリップ３５２を有する。パッケージ３１０は、クッキー３５８などの食料品の単一の列を収容するように設計されている。
【００３８】
切取線３２３ａおよび３２３ｂはそれぞれ、一対の完全性を表示するパネル３４２ａ、３４２ｂを形成する。パッケージ３１０が始めて開封されるとき、パネル３４２ａ、３４２ｂは、パッケージ３１０が開封された後でも端部３４４ａ、３４４ｂで内側のフィルム層３１２に一体的に結合されたままであり、特許文献２によって詳細に説明されるように、パネル３４２ａ、３４２ｂの残りの部分は、開口３２４内に落下する。
【００３９】
パッケージ３１０は、パッケージ３１０が始めて開封される前に内側のフィルム層３１２のパネル３４２ａ、３４２ｂそれぞれの上にある１対の透明窓部分３２９ａ、３２９ｂを備えたシールパネル３２６を含む。透明窓３２９ａ、３２９ｂは、パッケージ３１０が始めて開封される前は内側のフィルム層３１２に貼り付けられたパネル３４２ａ、３４２ｂを視覚的に観察すること、および３１０が開封された後はシールパネル３２６に取り付けられたシールパネル３４２ａ、３４２ｂがないことを観察することを可能にしてパッケージの完全性の状態を表示する。
【００４０】
パッケージ３１０が開封され再封された後、パッケージの完全性の状態は、パッケージ１０内の第２のパネル４２に関して示されたのと同様のやり方で、シールパネル３２６に取り付けられたパネル３４２ａ、３４２ｂがないことによって明らかにされる。さらに、パッケージ１０と同様に、パッケージ３１０の完全性は、シールパネル３２６が開封され再封された後のタブ部分３２６とシールパネル穴３３２のずれによって観察可能である（図１０）。他のパッケージの完全性の状態は、パッケージ３１０が始めて開封された際のストリップ３５２が破れるときに可聴音によって示される。
【００４１】
本発明は特に、３つのストリップを備えた３列の食品（クッキーなど）の実施形態および１列の食品（クッキーなど）および単一のストリップの実施形態を示している。本発明は、どのような数の食品列を有するパッケージにも適用することができ、ストリップの数は所望に応じて、食品列の数、パッケージの幅、およびストリップの所望の間隔を考慮しながら選択されることを理解されたい。また、様々に寸法設定されたパッケージは、所望の任意の数のウインドウを使用することができ、そのようなウインドウは、第２または第３のパネル上にあるか、あるいは１つまたは複数のストリップ上にあるかは問わない。さらに、食品は、パッケージ全域に列を成して配列させることができ、あるいはピーナッツ用などのように全く列を含まないこともできる。こうした配列のいずれにおいても、本発明は、好適な任意の数のストリップおよび／または好適な任意の数の密封されたウインドウを含むことができる。
【００４２】
本発明の閉じ構造の本発明のパッケージ完全性指示機構が、従来の不正開封機構、すなわちパッケージ完全性指示機構に優る利点を提供することが当業者には明らかである。
【図面の簡単な説明】
【００４３】
【図１】本発明による、最初の開封前の例示的閉じ構造を含むパッケージの斜視図である。
【図２ａ】第１の部分的に開封された状態で示す、図１のパッケージの図である。
【図２ｂ】図２ａの状態とは別の部分的に開封された状態で示す、図１のパッケージの図である。
【図３】本発明によって初めて開封される前のその最初の状態を下から見た、図１の閉じ構造の部分平面図である。
【図４】本発明による、最初の開封および再封後の図１の閉じ構造の部分平面図である。
【図５】本発明によって開封された閉じ構造を含む、別のパッケージの斜視図である。
【図６】本発明による、最初の開封前の別の閉じ構造を含む、別のパッケージの斜視図である。
【図７】部分的に開封された状態で示す、図６のパッケージの図である。
【図８】本発明による、最初の開封および再封後の図６の閉じ構造の部分平面図である。
【図９】部分的に開封された状態で示す別の閉じ構造を含む、別のパッケージの斜視図である。
【図１０】本発明による、最初の開封および再封後の図９の閉じ構造の部分平面図である。
【図１】
0005394651.tif 000002
【図２ａ】
0005394651.tif 000003
【図２ｂ】
0005394651.tif 000004
【図３】
0005394651.tif 000005
【図４】
0005394651.tif 000006
【図５】
0005394651.tif 000007
【図６】
0005394651.tif 000008
【図７】
0005394651.tif 000009
【図８】
0005394651.tif 000010
【図９】
0005394651.tif 000011
【図１０】
0005394651.tif 000012